(57)【要約】【課題】照明器具を内蔵した電飾看板は、一晩中電気を使い、電気エネルギーの無駄使いと評判が良くありませんでした。【解決手段】太陽電池モジュール２と照明器具３を取付ける。それを、光を通す半透明な素材で出来た外装１で覆う。その外装１には、文字や記号、模様などを多彩な色で着色する。着色も光を通す素材からなる。太陽電池モジュールと、外装の外部に取付けた電気逆流防止回路とパワーコンディショナに配線で接続する一体のシステムとすることで、外装内部の太陽電池モジュールにより、日中は、太陽の光りで発電し、夜間は、外装内部の照明器具の光で発電します。照明器具を内蔵した電飾看板は、昼夜を問わず、電気を発電する電飾看板に変わり、電飾看板としての表示効果を失うこと無く、それを解決しました。【選択図】図３
2012018367.tif 000002
【特許請求の範囲】
【請求項１】
太陽電池と照明を取付ける。それを、光を通す素材で出来た外装で覆う。その外装には、文字や記号、模様などを多彩な色で着色する。着色も光を通す素材からなる。以上の如く構成した、太陽電池を内蔵した電飾看板システム。
【請求項２】
請求項１の太陽電池は、太陽電池モジュールと斜めに取付けた太陽電池モジュールからなり、その太陽電池モジュールの前面にＬＥＤ照明器具を取付け、それを外装で覆う。その外装の上部は斜めに傾斜し、外側面に細かい凹凸を付けた低反射加工をおこなう。その外装の素材は、透明な素材と、光を通す白色の素材と、文字や記号、模様などを、光を通す多彩な色に着色した素材からなり、外装として、一体の成型製品として製作し、これを取付ける。この外装上部に太陽電池モジュールを斜めに取付け、電気逆流防止回路とパワーコンディショナに配線で接続する、更に屋根に取付けた太陽電池モジュールは、電気逆流防止回路とパワーコンディショナに配線で接続する。外装内部と外装上部で発電した電力と屋根で発電した電力は、店舗内の電力として使用し、余った電力は、売電用電力計で電力会社に提供し、店舗内の電力が不足する時は、電力会社から買電用電力計で供給を受ける。以上の如く構成した、太陽電池モジュールと照明器具を内蔵した電飾看板システム。
【発明の詳細な説明】
【技術分野】
【０００１】  本発明は、太陽電池を内蔵した電飾看板システムに関する。
【背景技術】
【０００２】  従来、樹脂成型した半透明な素材の外装の表面に、文字や記号、模様などを多彩な色で着色し、夜間でも見やすくするため、内部に蛍光灯などの照明器具を内蔵した電飾看板がありました。また、太陽電池モジュールを建物の屋根に取付け、日中、太陽の光で発電した直流電気をパワーコンディショナで交流電気に変換し、電力として利用する、太陽光発電システムがありました。
【発明が解決しようとする課題】
【０００３】  しかし、照明器具を内蔵した電飾看板は、一晩中電気を使い、電気エネルギーの無駄使いと評判が良くありませんでした。
【課題を解決するための手段】
【０００４】  本発明は、太陽電池と照明を取付け、それを、光を通す素材で出来た外装で覆う。その外装には、文字や記号、模様などを多彩な色で着色する。着色も光を通す素材からなます。さらに、外装内部の太陽電池モジュールと、外装外部に電気逆流防止回路とパワーコンディショナを設置し、配線で接続した一体のシステムとすることで上記課題を解決できます。
【発明の効果】
【０００５】  本発明は、外装内部の太陽電池により、日中は、太陽の光りで発電し、夜間は、外装内部の照明器具の光で発電し、昼夜を問わず、電気を発電する電飾看板に変わりました。電飾看板としての表示効果を失うこと無く、それを解決しました。
【実施例１】
【０００６】  本発明は、図１、図２、このような構造であるから、すでに設置済みの照明器具の蛍光灯３を内蔵した電飾看板でも、光を通す半透明な外装１を取外し、内部に太陽電池モジュール２を取付け配線し、外装１を取付けます。図７、電飾看板内部の太陽電池モジュール２で発電した直流電気を外装１の外部に設置した電気逆流防止回路４とパワーコンディショナ５ａに通し、交流電力に変換し、電力６として店舗内で消費することが出来ました。消費電力の少ない電飾看板となりました。太陽電池は、太陽電池モジュールとして製作し、それを取付けることで、現地での取付け作業時間の短縮と品質が向上しました。
【実施例２】
【０００７】  図７、店舗内６では、冷暖房の空調設備や照明器具などで電気を多く使います。電飾看板内部の太陽電池モジュール２の発電量では、十分ではありません。店舗の屋根にも太陽光発電システム２ｃを設置することで、日中の店舗内で消費する電力６を超えて発電でき、売電用電力計７ａにより、電力会社９に電気を売ることが出来ました。
尚、雨天や曇り、夜間は、電力会社９の電力を買電用電力計７ｂで電気を買います。
【実施例３】
【０００８】  図３、電飾看板内部の照明器具３を太陽電池モジュール２より手前に出すことで、照明器具３から放出する光は、太陽電池モジュール２を効率良く照らし、発電量が向上しました。さらに、太陽電池モジュール２ａを傾け、角度を付けることで、日中、半透明な外装１の外部から内部に入って来る太陽の光と、夜間の照明器具３の光を太陽電池モジュール２、２ａは効率良く受け取り、発電量がさらに向上しました。
【実施例４】
【０００９】  図３、電飾看板内部の照明器具の蛍光灯３を取外し、ＬＥＤ照明３ａに付け替えることで、照明器具による消費電力は少なくなり、電飾看板になりました。
ＬＥＤ照明３ａの特徴は、蛍光灯と比べ、消費電力が少ない、白色または多彩な色を発光する、熱を出さない、大きさは、小さく場所を取らない、長寿命で、交換の手間がかからないです。
【実施例５】
【００１０】  図４、電飾看板の外装１から、光を通す透明な外装１ａに替え、その内側面に白色の蛍光物質８ａと文字や記号、模様などを多彩な色の蛍光物質８ｂで着色しました。半透明な外装１と比べ、光を多く通し、日中の発電量が向上しました。さらに、夜間は、白色の蛍光物質８ａの部分と文字や記号、模様などを多彩な色の蛍光物質８ｂで着色した部分が、明るくなり、電飾看板としてのディスプレイ効果は、鮮明でスッキリした色合いの電飾看板になりました。
【実施例６】
【００１１】  図４、透明な外装１ａの表面は光沢があり、日中の太陽の光による、反射で、電飾看板がまぶしく、お客様の目に強く当たりました。そこで、お客様の目の健康を考え、電飾看板の外装の表面に細かい凹凸を付ける低反射加工１ｃを行いました。その効果として、お客様は、安心して、電飾看板を目印に来店して頂けるようになりました。低反射加工１ｃによる、光量の損失は無く、発電効率は向上しました。さらに外装１ｂの上部を斜めにする事で、太陽の光が電飾看板内部に多く入り、発電効率が向上しました。
【実施例７】
【００１２】  図６、図７、ビルの一階の貸し店舗では、ビルの屋上に太陽光発電システム２ｃの設置は勝手にできません、そこで、外装の上部に太陽電池モジュール２ｂを取付け、外装内部の太陽電池モジュール２、２ａと合わせて配線することで、さらに日中、太陽の光による、発電量の向上があり、省エネ効果を確認することが出来ました。電飾看板の上部に太陽電池モジュール２ｂを取付けたことにより、外からさらに目立ち、お客様がお店の電飾看板をよく見てくれるようになりました。
【実施例８】
【００１３】  図４、外装の外側面、または内側面の表面に光を通す白色シート８ｃと、文字や記号、模様などを多彩な色のカラーシート８ｄを貼る。白色シート８ｃとカラーシート８ｄも光を通す素材からなり、着色と比べ、シートを文字や記号、模様の形状にカットして外装の表面に貼り付けることで、現地での作用時間の短縮と品質が向上しました。
【実施例９】
【００１４】  図５、外装の素材は、透明な素材１ａと、光を通す白色素材８ｅと、文字や記号、模様などを、光を通す多彩な色の着色素材８ｆからなり、外装として、一体の成型製品１ｄとして製作し、これを取付ける。メーカーのチエン店など、形状が同じ電飾看板を大量に製作する場合は、コストが安く、品質も良くなりました。
【実施例による効果】
【００１５】  この発明によれば、環境問題となっていた、照明器具を内蔵した電飾看板は、一晩中電気を使い、電気エネルギーの無駄使いと評判が良くありませんでした。しかし、照明器具を内蔵した電飾看板内部に太陽電池モジュールを取付けることで、日中は、太陽の光りで発電し、夜間は、電飾看板内部の照明器具の光で発電します。照明器具を内蔵した電飾看板は、昼夜を問わず、電気を発電する電飾看板に変わり環境問題を改善することができました。
さらに、屋根用の太陽光発電システムと組み合わせることで、店舗内で消費する電力を作ることが出来ました。そして、ＬＥＤ照明にすることで消費電力の削減もできました。外装は透明な素材と白色の素材と多彩な色に着色した素材を組み合わせ、一体の成型製品として取付けることで、電飾看板としてのディスプレイ効果は、鮮明でスッキリした色合いの電飾看板になりました。さらに電飾看板の外装の表面に細かい凹凸を付ける低反射加工を行うことで、太陽の光による、まぶしい反射光を防ぎ、お客様の目の健康状態に配慮することも出来ました。外装上部を斜めにすることで、太陽光が外装内部に多く入り発電効率が向上しました。電飾看板の外装上部に太陽電池モジュールを設置することで更なる発電もでき、ビルの貸し店舗でも電飾看板システムの設置ができ、電飾看板の外装上部の太陽電池モジュールで、さらに目立つ電飾看板となりました。企業としての社会貢献である環境問題に積極的に取組む姿勢について、お客様からの評判も向上し、明るく活気のある商店街にかわりました。
【図面の簡単な説明】
【００１６】
【図１】本発明の外装の斜視図である。
【図２】本発明の外装を取り外した内部の斜視図である。
【図３】本発明と実施例３、４を示す断面図である。
【図４】本発明の実施例５、６、８を示す外装の断面図である。
【図５】本発明の実施例９を示す外装の断面図である。
【図６】本発明の実施例７を示す断面図である。
【図７】本発明の実施例１、２、７を示し、組あわせたシステムの配線図である。
【符号の説明】
【００１７】１    光を通す素材の外装
１ａ  透明な外装
１ｂ  上部を斜めにした透明な外装
１ｃ  外装の外側面に細かい凹凸を付けた低反射加工
１ｄ  透明な素材と、白色の素材と、多彩な色に着色した素材を、組み合わせ一体の成型製品とした外装
２    太陽電池モジュール
２ａ  角度を付けた太陽電池モジュール
２ｂ  外装の上部に取付けた太陽電池モジュール
２ｃ  屋根に取付けた太陽電池モジュール
３    照明器具
３ａ  ＬＥＤ照明器具
４    電気逆流防止回路
５ａ  電飾看板用のパワーコンディショナ
５ｂ  屋根用のパワーコンディショナ
６    店舗内の交流電力
７ａ  売電用電力計
７ｂ  買電用電力計
８ａ  光を通す白色の蛍光物質、
８ｂ  光を通す多彩な色の蛍光物質、
８ｃ  光を通す白色シート
８ｄ  光を通す多彩な色のカラーシート
８ｅ  光を通す白色素材
８ｆ  光を通す多彩な色の着色素材
９    電力会社の交流電力
【図１】
2012018367.tif 000003
【図２】
2012018367.tif 000004
【図３】
2012018367.tif 000005
【図４】
2012018367.tif 000006
【図５】
2012018367.tif 000007
【図６】
2012018367.tif 000008
【図７】
2012018367.tif 000009